(57)【特許請求の範囲】
【請求項１】
身体の左右両側端のうち正常状態に比べて変位した高点部を支持する高点支持部と、
少なくとも一部がベルトからなり、前記高点支持から下方に斜めに延長され、前記高点支持部に対して、前記高点部の回転変位に反対する方向に張力が作用する傾斜ベルト部と、
少なくとも一部がベルトからなり、前記傾斜ベルト部の下端部と部分的に重なるように身体を水平方向に囲んで圧迫する水平ベルト部と、
前記傾斜ベルト部の下端部と前記水平ベルト部が接する境界をなし、前記水平ベルト部の少なくとも一部によって身体の一側に圧迫されて身体に対して滑らないように支持される重畳支持部と、を含み、
前記高点支持部は、前記高点部を囲むバンドを含み、前記バンドは前記高点部に一方で前記傾斜ベルト部と連結されたことを特徴とする３次元身体矯正装置。
【請求項２】
前記高点支持部は、一方に突出した肩甲骨に対応する位置に配置され、前記バンドと前記傾斜ベルト部の張力によって身体の一側に圧迫される肩甲骨パッドをさらに含むことを特徴とする請求項１に記載の３次元身体矯正装置。
【請求項３】
前記水平ベルト部と重なるように配置されたもので、突出した肋骨部位に対応する位置に配置されて前記水平ベルト部の張力によって身体の一側に圧迫される肋骨パッドをさらに含むことを特徴とする請求項１に記載の３次元身体矯正装置。
【請求項４】
前記高点支持部は、着用者の骨盤のうち相対的に上に上がった側の腸骨陵部位に対応する骨盤支持部を含み、前記水平ベルト部と身体の間に両側の股関節部位にそれぞれ対応するように配置された１対の股関節パッドをさらに含むことを特徴とする請求項１に記載の３次元身体矯正装置。
【請求項５】
前記水平ベルト部の少なくとも一部によって身体の一側に加圧されて身体の一部を圧迫する少なくとも１つのクッションパッドと、
前記傾斜ベルト部及び前記水平ベルト部の一側に配置され、前記傾斜ベルト部、前記水平ベルト部及び前記少なくとも１つのクッションパッドの相対的な位置を定義するスキンをさらに含むことを特徴とする請求項１に記載の３次元身体矯正装置。
【請求項６】
前記少なくとも１つのクッションパッドは、前記スキン内のある位置に固定され、前記傾斜ベルト部及び前記水平ベルト部の少なくとも一部分が前記スキンによって支持されることを特徴とする請求項５に記載の３次元身体矯正装置。
【請求項７】
前記スキンは、前記水平ベルト部と重なる部分が着用者の変位した身体部分を囲んでその両端部が互いに付着されるように形成され、前記スキンの一側面の一部に前記傾斜ベルト部及び前記水平ベルト部が張力の印加された状態で付着されるように形成されたことを特徴とする請求項５に記載の３次元身体矯正装置。
【請求項８】
前記高点支持部は、身体の一部を加圧するように一側に突出した高点加圧パッドを含むことを特徴とする請求項５に記載の３次元身体矯正装置。
【請求項９】
前記高点加圧パッドは、着用者の骨盤のうち相対的に上に上がった側の腸骨陵部位に対応する骨盤パッドであり、
前記少なくとも１つのクッションパッドは、着用者の両側の股関節部位にそれぞれ対応する位置に固定された１対の股関節パッドであり、
前記傾斜ベルト部は、前記骨盤パッドから着用者の他方側に延長された他方の傾斜ベルトと、着用者の一方側に延長された一方の傾斜ベルトを含み、
前記他方の傾斜ベルトと前記一方の傾斜ベルトはそれぞれ前記スキンの一側面に付着されるように形成されたことを特徴とする請求項８に記載の３次元身体矯正装置。
【請求項１０】
前記骨盤パッドの両側から延長され、着用者の身体の一部によって支持されて前記骨盤パッドを下方に引っ張る力を加える補助ベルトをさらに含むことを特徴とする請求項９に記載の３次元身体矯正装置。
【請求項１１】
前記水平ベルト部は、前記少なくとも１つのクッションパッドのうち前記高点支持部に相対的に近いクッションパッドから着用者の他方側に延長された他方の水平ベルトと、着用者の一方側に延長された一方の水平ベルトを含み、前記他方の水平ベルトと前記一方の水平ベルトは、それぞれ前記スキンの一側面に付着されるように形成されたことを特徴とする請求項５に記載の３次元身体矯正装置。
【請求項１２】
前記水平ベルト部は動滑車型ベルト引張構造を含むことを特徴とする請求項５に記載の３次元身体矯正装置。
【請求項１３】
上半身型３次元身体矯正装置と、
下半身型３次元身体矯正装置と、を含み、
前記上半身型３次元身体矯正装置は、
着用者の肩のうち正常状態に比べて変位した片方の肩の周りを環状に囲むバンドと、
少なくとも一部がベルトからなり、前記バンドの一方から下方に斜めに延長され、前記片方の肩の変位に反対する方向に張力が作用する第１傾斜ベルト部と、
少なくとも一部がベルトからなり、着用者の身体を水平方向に囲んで圧迫し、前記第１傾斜ベルト部の下端部を直接または間接的に支持する第１水平ベルト部と、を含み、
前記下半身型３次元身体矯正装置は、
着用者の骨盤のうち正常状態に比べて変位した側の腸骨陵部位を支持する骨盤支持部と、
前記骨盤支持部の両側から下方に斜めに延長され、その回転変位に反対する方向に張力が作用する第２傾斜ベルト部と、
少なくとも一部がベルトからなり、着用者の身体を水平方向に囲んで圧迫し、前記第２傾斜ベルト部の下端部を直接または間接的に支持する第２水平ベルト部と、を含むことを特徴とする全身の３次元身体矯正装置。
【発明の詳細な説明】
【技術分野】
【０００１】
本発明は、先天または後天的に変形した身体を矯正する身体矯正器具に関し、より詳細には、脊柱側弯症（ｓｃｏｌｉｏｓｉｓ）の矯正に適したベルト型矯正装置に関する。
【背景技術】
【０００２】
脊柱側弯症は脊柱が異常に変形したもので、一般的には脊椎が正面からみて横に曲がったことを指すが、実際には単純な２次元的な奇形ではなく、椎体自体の回転変形が伴って横からみても正常的な湾曲状態ではない３次元的な変形を示す状態である。
【０００３】
図１には、脊柱側弯症患者の骨格の形態を示した。示されているように、患者の後方からみて、胸椎部分が右側に湾曲されている。胸椎の中央部は、患者の頭上から見下ろす方向を基準として、時計回りに回転して右側の肋骨が後方に突出している。しかし、脊椎は頸椎側に向かう程、徐々に反時計回りに曲がって、右側の肩は相対的に上に上がるとともに前方に向かっている。また、骨盤は時計回りに歪んで左側の腸骨が上に上がるとともに前方に向かっている。
【０００４】
図２には、脊柱側弯症患者の身体変形を模式的に示した。図１のように脊椎の中心線ＳＰの中央部、即ち、胸椎部分が右側に湾曲されている。その結果、肩の線ＳＨは右側が上に上がっるとともに、反時計回りに歪んでおり、右側の肩甲骨の内側の部分が後方に突出している。胸の線ＣＨも右側が上に上がるとともに時計回りに歪んでおり、骨盤の線ＰＥは左側が他場や高く、時計回りに歪んでいる。このように、脊柱側弯症による身体変形は３次元的に起こる。また、脊椎の回転変形によって、肋骨は右側の後方と左側の前方に突出し、左側の後方は内側に陥入した状態である。このような変形は継続的に行われる傾向があるが、胸腔の変形が酷くなると、肺活量が減って呼吸困難が起こるなど臓器の機能が低下することもある。
【０００５】
医療補助器具の分野では、脊柱側弯症による不便さと危険を軽減すべく、様々な矯正器具が提案されている。例えば、特許文献１の「脊柱側弯症補助機」と特許文献２の「身体矯正のための矯正ベルト」などがあるが、これらは構造が複雑であるため、着用しにくく、脊椎の回転変形を含む３次元的な変形を矯正することができないという問題がある。一方、本出願人は、このような問題点を解決するための１つの方案として特許文献３の「ベルト型脊柱側弯症矯正機」を提案した。
【先行技術文献】
【特許文献】
【０００６】
【特許文献１】韓国公開特許公報第１０−２０１０−８９９５３号
【特許文献２】韓国公開実用新案公報第２０−２０１０−５９５１号
【特許文献３】韓国登録特許公報第１０−１５０８５７９号
【発明の概要】
【発明が解決しようとする課題】
【０００７】
本発明は、上述した問題点を解決するために提案されたもので、脊椎の中心線が横に曲がる２次元的な変形だけでなく、脊椎の回転を伴う３次元的な変形を矯正することができる３次元身体矯正ベルトを提供することにその目的がある。
【０００８】
また、腰と骨盤及び股関節部分の変形だけでなく、肩と肋骨を含む胸椎部分の変形まで効果的に矯正できる３次元身体矯正ベルトを提供することにその目的がある。
【課題を解決するための手段】
【０００９】
上述した課題を解決すべく、本発明による３次元身体矯正装置は、身体の左右両側端のうち正常状態に比べて変位した高点部を支持する高点支持部と、少なくとも一部がベルトからなり、上記高点支持から下方に斜めに延長され、上記高点支持部に対して、上記高点部の回転変位に反対する方向に張力が作用する傾斜ベルト部と、少なくとも一部がベルトからなり、上記傾斜ベルト部の下端部と部分的に重なるように身体を水平方向に囲んで圧迫する水平ベルト部と、上記傾斜ベルト部の下端部と上記水平ベルト部が接する境界をなし、上記水平ベルト部の少なくとも一部によって身体の一側に圧迫されて身体に対して滑らないように支持される重畳支持部と、を含み、上記高点支持部は、片方の肩の周りを環状に囲むバンドを含み、上記バンドは肩の一方で上記傾斜ベルト部と連結される。なお、本明細書において、ベルトは弾性ベルトであることができ、また、バンドは環状肩バンドであることができる。
【００１０】
上記高点支持部は、一方に突出した肩甲骨に対応する位置に配置され、上記肩バンドと上記傾斜ベルト部の張力によって身体の一側に圧迫される肩甲骨パッドをさらに含んでもよい。
【００１１】
また、上述した３次元身体矯正装置は、上記水平ベルト部と重なるように配置されたもので、突出した肋骨部位に対応する位置に配置されて上記水平ベルト部の張力によって身体の一側に圧迫される肋骨パッドをさらに含んでもよい。
【００１２】
本発明の一側面による３次元身体矯正装置は、身体の左右両側端のうち正常状態に比べ
て変位した高点部を支持する高点支持部と、少なくとも一部がベルトからなり、上記高点支持から下方に斜めに延長され、上記高点支持部に対して、上記高点部の回転変位に反対する方向に張力が作用する傾斜ベルト部と、少なくとも一部がベルトからなり、上記傾斜ベルト部の下端部と部分的に重なるように身体を水平方向に囲んで圧迫する水平ベルト部と、上記傾斜ベルト部の下端部と上記水平ベルト部が接する境界をなし、上記水平ベルト部の少なくとも一部によって身体の一側に圧迫されて身体に対して滑らないように支持される重畳支持部と、を含み、上記高点支持部は、着用者の骨盤のうち相対的に上に上がった側の腸骨陵部位に対応する骨盤支持部を含み、上記水平ベルト部と身体の間に両側の股関節部位にそれぞれ対応するように配置された１対の股関節パッドをさらに含む。
【００１３】
本発明の一側面による３次元身体矯正装置は、身体の左右両側端のうち正常状態に比べて変位した高点部を支持する高点支持部と、少なくとも一部がベルトからなり、上記高点支持から下方に斜めに延長され、上記高点支持部に対して、上記高点部の回転変位に反対する方向に張力が作用する傾斜ベルト部と、少なくとも一部がベルトからなり、身体を水平方向に囲んで圧迫する水平ベルト部と、上記水平ベルト部の少なくとも一部によって身体の一側に加圧されて身体の一部を圧迫する少なくとも１つのクッションパッドと、着用者の身体と接触するように上記傾斜ベルト部及び上記水平ベルト部の一側に配置され、上記傾斜ベルト部、上記水平ベルト部及び上記少なくとも１つのクッションパッドの相対的な位置を定義するスキンと、を含む。なお、本明細書において、スキンは柔軟性スキンであることができる。
【００１４】
ここで、上記少なくとも１つのクッションパッドは、上記スキン内のある位置に固定され、上記傾斜ベルト部及び上記水平ベルト部の少なくとも一部分が上記スキンによって支持されることにより、これらの相対的な位置が定義されることができる。
【００１５】
上記スキンは、上記水平ベルト部と重なる部分が着用者の変位した身体部分を囲んでその両端部が互いに付着されるように形成され、上記スキンの一側面の一部に上記傾斜ベルト部及び上記水平ベルト部が張力の印加された状態で付着されるように形成されてもよい。張力が印加された状態で付着されるとは、例えば、上記傾斜ベルト部及び上記水平ベルト部の少なくとも一部を構成するベルト部材が引張された状態で、その端部が上記スキンの一側面に付着されることを意味する。
【００１６】
上記高点支持部は、身体の一部を加圧するように一側に突出した高点加圧パッドを含んでもよい。
【００１７】
この場合、上記高点加圧パッドは、着用者の骨盤のうち相対的に上に上がった側の腸骨陵部位に対応する骨盤パッドであり、上記少なくとも１つのクッションパッドは、着用者の両側の股関節部位にそれぞれ対応する位置に固定された１対の股関節パッドであり、上記傾斜ベルト部は、上記骨盤パッドから着用者の他方側に延長された他方の傾斜ベルトと、着用者の一方側に延長された一方の傾斜ベルトを含み、上記他方の傾斜ベルトと上記一方の傾斜ベルトは、それぞれ上記スキンの一側面に付着されるように形成されてもよい。このとき、上記骨盤パッドの両側から延長され、着用者の身体の一部によって支持されて上記骨盤パッドを下方に引っ張る力を加える補助ベルトをさらに含んでもよい。なお、本明細書において、一方の傾斜ベルトは後方傾斜ベルトであることができ、また、他方の傾斜ベルトは前方傾斜ベルトであることができる。
【００１８】
上記高点支持部は、他方に歪んだ片方の肩の周りを環状に囲むバンドを含み、上記バンドは、肩の一方で上記傾斜ベルト部と連結されてもよい。
【００１９】
この場合、上記高点支持部は、一方に突出した肩甲骨に対応する位置に配置され、上記バンドと上記傾斜ベルト部の張力によって身体の一側に圧迫される肩甲骨パッドをさらに含んでもよい。
【００２０】
一方、上記水平ベルト部は、上記少なくとも１つのクッションパッドのうち上記高点支持部に相対的に近いクッションパッドから着用者の他方側に延長された他方の水平ベルトと、着用者の一方側に延長された一方の水平ベルトを含み、上記他方の水平ベルトと上記一方の水平ベルトは、それぞれ上記スキンの一側面に付着されるように形成されてもよい。なお、本明細書において、一方の水平ベルトは後方水平ベルトであることができ、また、他方の水平ベルトは前方水平ベルトであることができる。
【００２１】
一方、上記水平ベルト部は動滑車型ベルト引張構造を含んでもよい。
【００２２】
本発明の一側面による全身の３次元身体矯正装置は、上半身型３次元身体矯正装置と、下半身型３次元身体矯正装置と、を含み、上記上半身型３次元身体矯正装置は、着用者の肩のうち正常状態に比べて変位した片方の肩の周りを環状に囲むバンドと、少なくとも一部がベルトからなり、上記バンドの一方から下方に斜めに延長され、上記片方の肩の変位に反対する方向に張力が作用する第１傾斜ベルト部と、少なくとも一部がベルトからなり、着用者の身体を水平方向に囲んで圧迫し、上記第１傾斜ベルト部の下端部を直接または間接的に支持する第１水平ベルト部と、を含み、上記下半身型３次元身体矯正装置は、着用者の骨盤のうち正常状態に比べて変位した側の腸骨陵部位を支持する骨盤支持部と、上記骨盤支持部の両側から下方に斜めに延長され、その回転変位に反対する方向に張力が作用する第２傾斜ベルト部と、少なくとも一部がベルトからなり、着用者の身体を水平方向に囲んで圧迫し、上記第２傾斜ベルト部の下端部を直接または間接的に支持する第２水平ベルト部と、を含む。
【００２３】
ここで、第１水平ベルト部及び第２水平ベルト部が第１傾斜ベルト部及び第２傾斜ベルト部のそれぞれの下端部を直接または間接的に支持するとは、直接接触するか、互いに連結されて支持する構成だけでなく、他の部材を介して間接的に力を伝達して支持する構成を含む。
【発明の効果】
【００２４】
本発明による３次元身体矯正装置は、脊椎の湾曲と回転を含む３次元的な変形を矯正することができながらも、比較的単純で直観的な形態を有し、身体変形の程度に応じた調整が容易である。
【００２５】
また、本発明による３次元身体矯正装置は、腰と骨盤及び股関節部分はもちろん、肩と肋骨の変形を伴う胸椎部分の変形まで矯正することができる。これにより、上半身と下半身の中心がずれて歪むことで上半身の中心が崩れる現象を防止し、これを効果的に矯正することができる。
【図面の簡単な説明】
【００２６】
【図１】脊柱側弯症患者の骨格の形態を示した。
【図２】脊柱側弯症患者の身体の変形を模式的に示した。
【図３】本発明の一実施例による上半身型３次元身体矯正装置の着用状態を示した。
【図４】上記図３の実施例による上半身型３次元身体矯正装置の構成をより詳細に示した。
【図５】上記図４のＶ−Ｖ’断面を示した。
【図６】上記図４のＶＩ−ＶＩ’断面を示した。
【図７】本発明の一実施例による下半身型３次元身体矯正装置の着用状態を示した。
【図８】上記図７の実施例による下半身型３次元身体矯正装置の構成をより詳細に示した。
【図９】上記図８における重畳支持部の付近を部分拡大して示した。
【図１０】本発明の一実施例による上半身型３次元身体矯正装置の着用状態を示した。
【図１１】上記図１０の実施例による上半身型３次元身体矯正装置の構成をより詳細に示した。
【図１２】上記図１１の実施例における動滑車型ベルト引張構造の作動原理を示した。
【図１３】本発明の一実施例による下半身型３次元身体矯正装置の着用状態を示した。
【図１４】上記図１３の実施例による下半身型３次元身体矯正装置の構成をより詳細に示した。
【図１５】上記図１４の実施例における動滑車型ベルト引張構造の作動原理を示した。
【図１６】上記図１３の実施例に対する一変形例を示した。
【発明を実施するための形態】
【００２７】
以下では、添付した図面を参照して本発明の実施例を説明する。以下で説明する実施例は、様々な形態に変形でき、本発明の範囲は以下の実施例に限定されるものではない。本発明の実施例は、当該分野で通常の知識を有する者に発明の技術的思想を明確に伝えるために提供される。
【００２８】
本発明による３次元身体矯正装置は、身体の左右両側端のうち正常状態より上に上がっているとともに、前後側に回転変位した歪み部分がある場合、その矯正のために使用することができる。代表的に、肩と肋骨部位の傾きと歪みを含む胸椎部位の変形に対する矯正と、脊柱と連結された骨盤の傾きと歪み等を含む骨盤部位の変形に対する矯正などに適用することができる。以下では、便宜上、前者の場合により好適な実施例を上半身型３次元身体矯正装置とし、後者の場合により好適な実施例を下半身型３次元身体矯正装置とする。
【００２９】
図３には、本発明の一実施例による上半身型３次元身体矯正装置の着用状態を着用者の後方からみた様子を示した。図４には、上記図３の実施例による上半身型３次元身体矯正装置の構成をより詳細に示した。
【００３０】
本実施例による上半身型３次元身体矯正装置は、大きく傾斜ベルト部１０と水平ベルト部２０からなる。傾斜ベルト部１０の上端部には、着用者の両側の肩のうち相対的に上に上がって他方に歪んだ肩を囲む肩バンド１１が備えられる。上記肩バンド１１は、身体の左右両側のうち正常状態より上に上がっているとともに前後側に回転変位した、歪んだ高点部を支持する高点支持部の一例であって、肩の歪みと逆方向である後下方に斜めに延長された傾斜ベルト１２と連結される。上記傾斜ベルト１２は弾力のあるベルト部材からなり、上記肩バンド１１に張力が作用する。上記肩バンド１１もベルト部材からなってもよいことは言うまでもない。一方、上記肩バンド１１と上記傾斜ベルト１２が接する部分には、一方に突出した肩甲骨をベルト部材の張力で圧迫する肩甲骨パッド１３が備えられてもよい。
【００３１】
上記傾斜ベルト１２の下端部は水平ベルト部２０に繋がるが、これらが接する境界にはループ状で身体を囲んで一側に圧迫する水平ベルト部２０の一部分と重なり、その圧迫する力によって身体に対して滑らないように支持される重畳支持部が形成される。上記重畳支持部は、例えば、前方肋骨パッド１５を含んで構成されてもよい。上記前方肋骨パッド１５は、着用者の前方の一側に突出した肋骨部位に対応する位置に配置されるが、大体、上述した肩甲骨パッド１３の対角線の反対側に位置する。上記前方肋骨パッド１５の一側は上述した傾斜ベルト１２と連結され、他側は水平ベルト２１と連結される。
【００３２】
上記傾斜ベルト１２と上記前方肋骨パッド１５は、長さ調節部を介して連結される。上記長さ調節部は、着用者の身体サイズに合わせて上記傾斜ベルト１２の長さを調節する役割だけでなく、着用者の身体の変形程度に応じて上記傾斜ベルト１２にかかる張力を調節する役割もする。上記前方肋骨パッド１５として例示された重畳支持部は、着用者の身体に対して滑らないように支持されるため、上記傾斜ベルト１２の長さが短くなるほど、上記肩バンド１１に及ぼす張力が強くなる。
【００３３】
上記前方肋骨パッド１５から始まった水平ベルト２１は、着用者の胸部をループ状に囲んで再び上記前方肋骨パッド１５に戻ってその一側面の少なくとも一部と重なり、固定部２４によって上記水平ベルト２１の一側面の一部に固定されてもよい。上記固定部２４は、例えば、ベルクロのように固定するとともに上記水平ベルト２１のうち身体を囲む部分の長さを調節することができるように構成されてもよい。但し、これに限定されず、フックやバックルなど様々な固定方法で実現されてもよい。
【００３４】
一方、上記水平ベルト２１が通る区間のうち着用者の一方に突出した肋骨部位に対応する位置には、上記水平ベルト２１の張力によって身体の一側に圧迫される後方肋骨パッド２２が備えられてもよい。また、着用者の身体状態に応じて追加部位に対する圧力が必要な場合、該当位置に補助圧迫パッド２３をさらに備えてもよい。これらは上記水平ベルト２１の長さ方向に沿って位置が移動できるように設けられてもよい。
【００３５】
上記水平ベルト部２０は、このようにベルト部材からなる水平ベルト２１を利用して身体の両側端を連結する横軸に対して、歪んだ方向に突出した胸部を身体の一側に圧迫して矯正する役割をするが、前方肋骨パッド１５と後方肋骨パッド２２などを含んで異常に突出した部分を集中的に圧迫し、変形によって相対的に陥入した部分に圧迫が加わらないようにする機能を行う。上記前方及び後方肋骨パッド１５、２２を含む部分についてより詳細に説明すると、以下の通りである。
【００３６】
図５には上記図４のＶ−Ｖ’断面を示し、図６には上記図４のＶＩ−ＶＩ’断面を示した。
【００３７】
まず、図５を参照すると、傾斜ベルト１２の下端部が長さ調節部１５２を介して上記前方肋骨パッド１５に連結され、その反対側に水平ベルトの前端部２１Ａが連結される。上記前方肋骨パッド１５と上記水平ベルトの前端部２１Ａも長さ調節部１５３を介して連結されてもよいが、上記水平ベルトの長さは上述した固定部などにより調節されてもよいため、その必要性が大きくない。上記前方肋骨パッド１５における身体Ｂと接触する部分には、等しい圧迫と摩擦力の増加のためにクッション部材１５１が配置されてもよい。上記前方肋骨パッド１５の両側に連結された上記傾斜ベルト１２にかかる張力Ｔ１と水平ベルト２１にかかる張力Ｔ２は、その大きさが異なってもよく、例えば、Ｔ１＞Ｔ２の関係であってもよい。このような場合にも、上記前方肋骨パッド１５のような重畳支持部は、身体Ｂに対して滑らないように支持され、一側への圧迫力を伝達することができる。
【００３８】
また、上記前方肋骨パッド１５の胴体１５５の一側には、例えば、リングのような形状の締結口１５４が形成され、胸部を一回巻いた水平ベルトの後端部２１Ｂと締結されてもよい。本実施例によると、上記水平ベルトの後端部２１Ｂは上記締結口１５４にかけてから反対に折り曲がり、その折り曲がった水平ベルトの固定端部２１Ｃは、その一側に設けられたベルクロ２１Ｖにより上記水平ベルトの後端部２１Ｂに固定されてもよい。このような締結構造は、長さ調節を容易にしながらも水平ベルト部２０の圧迫力を強くすることができる点で有利であるが、これに限定されるものではない。
【００３９】
次いで、図６を参照すると、上述した後方肋骨パッド２２が水平ベルト２１の張力Ｔ２によって身体Ｂの一部を圧迫する様子を見ることができる。ここで、後方肋骨パッド２２もクッション部材を含んで構成されてもよく、水平ベルト２１が上記後方肋骨パッド２２の一側面に設けられたリングを通過する方式で設けられることにより、上記後方肋骨パッド２２が上記水平ベルト２１の長さ方向に沿って移動できるようにすることができる。
【００４０】
図７には、本発明の一実施例による下半身型３次元身体矯正装置の着用状態を着用者の後方から見た様子を示し、図８には、上記図７の実施例による下半身型３次元身体矯正装置の構成をより詳細に示した。図９には、上記図８における重畳支持部の付近を部分拡大して示した。
【００４１】
本実施例による下半身型３次元身体矯正装置は、１つのループ状をなす傾斜ベルト部３０ともう１つのループ状をなす水平ベルト部４０からなる。傾斜ベルト部３０の上端部には、着用者の骨盤のうち相対的に上に上がって他方に歪んだ側の腸骨陵部位を囲む骨盤支持部３１が備えられる。上記骨盤支持部３１は上述した高点支持部の一例であって、骨盤の歪みと反対方向ある後下方に斜めに延長された傾斜ベルト３２と連結される。上記傾斜ベルト３２は、弾力のあるベルト部材からなり、上記骨盤支持部３１の後下方に集中した張力が作用する。上記骨盤支持部３１の他方に他方の傾斜ベルト３２Ａが連結され、その一方に一方の傾斜ベルト３２Ｂが連結されるが、これらにかかる張力は互いに異なる。示されたように、一方の傾斜ベルト３２Ｂにかかる張力が相対的に大きい場合、上記骨盤支持部３１には上に上がり他方に歪んだ側の骨盤を下に引き下ろしながら、歪んだ反対方向に回転させる力が作用するようになる。
【００４２】
上記傾斜ベルト３２の下端部は水平ベルト部４０に繋がるが、これらが接する境界には、ループ状で身体を囲んで一側に圧迫する水平ベルト部４０の一部分と重なりながら、その圧迫する力によって身体に対して滑らないように支持される重畳支持部３５が形成される。上記重畳支持部３５は、例えば、第１クッションパッド３５１を含んで構成されてもよい。上記第１クッションパッド３５１は、着用者の他方の一側において、上述した他方の傾斜ベルト３２Ａの前端部及び一方の傾斜ベルト３２Ｂの後端部と着用者の身体との間に配置されて圧力を分散させ、摩擦力を増加させることができる。上述した上半身型３次元身体矯正装置における他方肋骨パッドもこのような第１クッションパッドの一種とみることができる。上記第１クッションパッド３５１は、一方の傾斜ベルト３２Ｂの後端部と連結された他方の水平ベルト４１Ａの前端部により身体の一側に加圧されて支持される。
【００４３】
上記一方の傾斜ベルト３２Ｂの後端部と上記他方の水平ベルト４１Ａの前端部は同じベルト部材で連続的に形成されてもよいが、この場合、これらが重なった部分３２４Ａに作用する摩擦力によって上記他方の傾斜ベルト３２Ａの前端部が支持されるため、上記骨盤支持部３１の両側に異なる張力Ｔ３、Ｔ４が印加されることができる。一方、上記他方の水平ベルト４１Ａの前端部から着用者の股関節部位の周りを一回巻いた一方の水平ベルト４１Ｂの端部４１Ｃは、上記他方の傾斜ベルト３２Ａの前段に設けられたリング状の締結口３５４にかかって反対方向に折り曲がって、ベルクロ４１Ｖのような固定部により固定されてもよい。このような構造は、股関節部位を囲んで圧迫する水平ベルト部４０の長さと張力の強さが容易に調節できるようにする。
【００４４】
一方、このような形態の重畳支持部３５は、傾斜ベルト部３０の長さを調節する機能も
兼ねることができる。これは、上記一方の傾斜ベルト３２Ｂが上述したリング状の締結口３５４の付近を通るとき、その一側面３２４Ｂを上記一方の水平ベルト４１Ｂの後端部が圧迫することにより、上記骨盤支持部３１から上記リング状の締結口３５４を通過する前までの上記一方の傾斜ベルト３２Ｂの長さが着用時に調節された状態に保持できるからである。
【００４５】
一方、上記水平ベルト部４０が通る区間のうち上記骨盤支持部３１の下部の股関節に対応する位置には、上記水平ベルト４１の張力によって身体の一側に圧迫される股関節パッド４２が備えられてもよい。上記股関節パッド４２は、上記水平ベルト４１の長さ方向に沿って位置が移動できるように設けられてもよく、上記股関節パッド４２の位置は上述した他方の水平ベルト４１Ａと一方の水平ベルト４１Ｂの境界に該当し、実際、これらは互いに連続的に連結されたものであってもよい。上記股関節パッド４２は、重畳支持部の反対側に配置され水平ベルト部の張力によって身体の一側に圧迫される第２クッションパッドの一例に該当するもので、上述した上半身型３次元身体矯正装置における後方肋骨パッドも第２クッションパッドに該当する。
【００４６】
上記水平ベルト部４０は、このようにベルト部材からなる水平ベルト４１及び股関節パッド４２を利用して、骨盤の歪みにより緩く開いた股関節を身体の一側に圧迫して矯正する役割をする。
【００４７】
図１０には、本発明の一実施例による上半身型３次元身体矯正装置の着用状態を示し、図１１には、上記図１０の実施例による上半身型３次元身体矯正装置の構成をより詳細に示した。
【００４８】
本実施例による３次元身体矯正装置２０１は、上述した実施例と同様に、高点支持部、傾斜ベルト部、及び水平ベルト部を含む。そして、さらにスキン２０５を含む。上記スキン２０５は、上記水平ベルト部と重なる部分が着用者の胸部を囲み、その両端部２０５１、２０５２が互いに付着するように形成される。両端部の付着は、例えば、ベルクロ部材からなってもよく、他の例として、フックやバックルなど様々な形態に変形もできる。一方、上記スキン２０５の一側面の一部、特に、着用時に上記傾斜ベルト部を構成する傾斜ベルト２１２の下端部や水平ベルト部を構成する水平ベルト２２１の両側端部と重なる部分にも、ベルクロなどを利用して、上記傾斜ベルト２１２及び水平ベルト２２１が傾斜方向または水平方向に引っ張られて張力が印加された状態で付着されるように形成されてもよい。
【００４９】
本実施例による３次元身体矯正装置２０１は、胸部に着用される上半身型であって、上
記高点支持部は、他方に歪んだ片方の肩の周りを環状に囲むバンド２１１を含み、上記バンド２１１は、肩の一方で上記傾斜ベルト２１２と連結されるように構成されてもよい。この時、高点加圧パッドの一例として、一方に突出した肩甲骨に対応する位置に配置され、上記バンド２１１と上記傾斜ベルト２１２の張力によって身体の内側に圧迫される肩甲骨パッド２１３を備えてもよい。上記肩甲骨パッド２１３は、上記スキン２０５の上部、即ち、水平ベルト部と重なる部分から上側に拡張された部分に配置されてもよい。
【００５０】
上記スキン２０５は、柔軟性のある（ｆｌｅｘｉｂｌｅ）繊維またはメッシュ（ｍｅｓｈ）素材をベースにして形成されてもよく、伸縮性、通気性または着用感などを向上させるために、様々な複合材料で形成されてもよいことは言うまでもない。上記スキン２０５は、上述した高点加圧パッドの一例としての肩甲骨パッド２１３、及び上述したクッションパッドの一例としての後方肋骨パッド２２２の相対的な位置を定義する。即ち、上記肩甲骨パッド２１３及び上記後方肋骨パッド２２２は、上記スキン２０５の一側の一部分にそれぞれ固定される。従って、３次元身体矯正装置２０１を着用する者がこれらのいずれか１つを身体の対応部位に位置させると、残りのパッドも簡単に定位置になる。このような点は、着用者の便宜性を向上させ、正確な着用を可能にして身体矯正の効果を向上させるのに役立つ。着用者の身体サイズと装置のサイズに応じて、それぞれの位置に若干のずれはあり得るが、これは上記スキン２０５の素材の特性上、簡単に調整できる。
【００５１】
上記スキン２０５は、上で例示したように、複数のパッド２１３、２２２の相対的な位置を定義するだけでなく、上述した少なくとも１つのクッションパッドと傾斜ベルト部及び水平ベルト部の相対的な位置を定義する。上記傾斜ベルト部及び上記水平ベルト部は、その一部分が上記スキン２０５上のある位置に固定されるか、上記スキン２０５上に設けられた固定構造物、例えば、ベルトの進行方向をガイドするリングや穴などの構造物を介してこれらの少なくとも一部を支持することにより、その相対的な位置を定義することができる。
【００５２】
一方、上記水平ベルト部は、上記肩甲骨パッド２１３に相対的に近いクッションパッド、例えば、後方肋骨パッド２２２から着用者の他方側に延長された他方の水平ベルト２２１２と、着用者の一方側に延長された一方の水平ベルト２２１１、２２１３を含んで構成されてもよい。上記他方の水平ベルト２２１２と上記一方の水平ベルト２２１１、２２１３のうち端部パート２２１１は、上述したように、それぞれ上記スキン２０５の一側面に付着されるように形成されてもよい。このように他方の水平ベルトと一方の水平ベルトが互いに分離された形態は、それぞれが上記一方肋骨パッド２２２に作用する張力を異ならせて肋骨の回転変位を正すのに役立つことができる。
【００５３】
また、上記水平ベルト２２１は、少なくとも一部にベルト部材を含むもので、示されたように、動滑車型ベルト引張構造２２４を含んでもよい。図１１に示された実施例では、動滑車の役割をする２つの滑車リング２２４Ａ、２２４Ｂを含み、これらの間に上記水平ベルト２２１の中間パート２２１３が配置された２重動滑車構造が適用された。このような動滑車型ベルト引張構造２２４の機能及び作動原理については、以下で別途の図面を参照して説明する。
【００５４】
図１２には、上記図１１の実施例における動滑車型ベルト引張構造の作動原理を示した。
【００５５】
本実施例は、２重動滑車構造が適用されたもので、上述したように水平ベルト２２１が他方の水平ベルト２２１２と一方の水平ベルトを含んで構成され、上記一方の水平ベルトは末端パート２２１１及び中間パート２２１３を含んで構成される。上記他方の水平ベルト２２１２の一端部と上記中間パート２２１３の中間部分の間には第１滑車リング２２４Ａが配置され、上記中間パート２２１３の一端部と上記末端パート２２１１の中間部分の間には第２滑車リング２２４Ｂが配置される。一方、上記一方の水平ベルトを構成する上記末端パート２２１１の一側端部と上記中間パート２２１３の一側端部は、上述したスキンのある位置に固定される。
【００５６】
このような構成により、着用者が上記末端パート２２１１をＦの力で引っ張ると、上記第２滑車リング２２４Ｂはその力と同じ方向の２Ｆの力で引っ張られ、このような原理で上記第１滑車リング２２４Ａは４Ｆの力で引っ張られるにようになる。その結果、上述した図１１の後方肋骨パッド２２２は、上記一方の水平ベルトが延長された方向に４Ｆの力を受けるようになる。一方、本実施例は、２重動滑車構造が適用された場合であるが、上記のような原理で単一動滑車構造が適用された場合には、上述した後方肋骨パッド２２２に２Ｆの力がかかるようになる。
【００５７】
以上で説明したように、動滑車型ベルト引張構造は着用者が小さな力でも、上記水平ベルトに大きな張力を印加することができるようして身体矯正効果を極大化させる。
【００５８】
図１３には、本発明の一実施例による下半身型３次元身体矯正装置の着用状態を示し、図１４には、上記図１３の実施例による下半身型３次元身体矯正装置の構成をより詳細に示した。
【００５９】
本実施例による３次元身体矯正装置２０２は、上述した図１０〜図１２の実施例と同様に、高点支持部、傾斜ベルト部、水平ベルト部、及びスキン２０６を含む。但し、高点支持部の上側に変位した骨盤部位を支持するという点などに差がある。より具体的には、本実施例では、上記高点支持部を構成する高点加圧パッドは、着用者の骨盤のうち相対的に上に上がった側の腸骨陵部位に対応する骨盤パッド２３１である。上述した傾斜ベルト部を構成するもので、少なくとも一部のベルト部材を含む傾斜ベルト２３２は、上記骨盤パッド２３１から着用者の他方側に延長された他方の傾斜ベルト２３２Ａと、着用者の一方側に延長された一方の傾斜ベルト２３２Ｂと、からなってもよい。
【００６０】
水平ベルト部と重なって配置される少なくとも１つのクッションパッドは、着用者の両側の股関節部位にそれぞれ対応する位置に固定された１対の股関節パッド２４２Ａ、２４２Ｂであり、これらは上記骨盤パッド２３１とともに上記スキン２０６上の所定位置に固定される。そのため、それらの相対的な位置が定義される。一方、上記スキン２０６は、水平ベルト部と重なる部分が着用者の臀部を囲んだ状態でその両側端部２０６１、２０６２が互いに付着されるように形成される。
【００６１】
また、上記他方の傾斜ベルト２３２Ａと上記一方の傾斜ベルト２３２Ｂは、それぞれ上記スキン２０６の一側面に付着されるように形成されてもよい。付着はベルクロなどの部材により実現されてもよい。
【００６２】
一方、本実施例による下半身型３次元身体矯正装置２０２における水平ベルト２４１は、図１４に示したように、１対の股関節パッド２４２Ａ、２４２Ｂのうち上記骨盤パッド２３１に相対的に近い左側の股関節パッド２４２Ａから着用者の他方側に延長された他方の水平ベルト２４１Ａと、その反対側に延長された一方の水平ベルト２４１Ｂとに分けられる。これらは、上述した他方の傾斜ベルト２３２Ａ及び一方の傾斜ベルト２３２Ｂと同様に、他方ベルトと一方ベルトに異なる張力が印加されて一方向に回転変位した着用者の骨盤を復元させる方向に回転力が加えられるようにする。
【００６３】
図１５には、上記図１４の実施例における動滑車型ベルト引張構造の作動原理を示した。
【００６４】
図１３〜図１５をともに参照すると、上述した水平ベルト２４１を構成する他方の水平ベルト２４１Ａと一方の水平ベルト２４１Ｂのうち少なくとも何れか１つには、動滑車型ベルト引張構造２４４が適用されてもよい。図１４及び図１５の実施例による３次元身体矯正装置２０６には、上記他方の水平ベルト２４１Ａと上記一方の水平ベルト２４１Ｂのそれぞれに２重動滑車型ベルト引張構造が適用された。
【００６５】
上記水平ベルト２４１のうち上記左側の股関節パッド２４２Ａに重なる中心パート２４１１を基準として図面上の左側の他方の水平ベルト２４１Ａにも２つの滑車リング２４４１Ａ、２４４２Ａが配置され、これらを媒介に他方の水平ベルト２４１Ａの末端パート２４１３Ａと中間パート２４１２Ａ、そして中心パート２４１１Ａが互いに連結される。また、上記中心パート２４１１を基準として図面上の右側の一方の水平ベルト２４１Ｂにも、２つの滑車リングとともに一方の水平ベルト２４１Ｂの末端パート２４１３Ｂ、中間パート２４１２Ｂ、そして上記中心パート２４１１Ｂが互いに連結されるように配置される。
【００６６】
このような２重動滑車型ベルト引張構造において、着用者が他方の水平ベルト２４１Ａの末端パート２４１３Ａと一方の水平ベルト２４１Ｂの末端パート２４１３ＢをそれぞれＦ１とＦ２の強さの力で引っ張ると、上述した左側の股関節パッド２４２Ａの部分に対して、他方側には４Ｆ１の力が作用し、一方側には４Ｆ２の力が作用して、その力の差分だけ着用者の骨盤に回転力を与えることができる。
【００６７】
図１６には、上記図１３の実施例に対する一変形例を示した。
【００６８】
本変形例は、上述した図１３の実施例と比較して、上記骨盤パッド２３１の一側から着用者の股を通って上記骨盤パッド２３１の他側に連結され、上記骨盤パッド２３１を下方に引っ張る力を加える補助ベルト２５０をさらに備える点に差がある。残りの部分は同一であるため、ここでは説明を省略する。
【００６９】
一方、本発明の一側面による全身の身体矯正装置は、上半身型３次元身体矯正装置と下半身型３次元身体矯正装置を含んでもよい。上記上半身型３次元身体矯正装置は、上述した図３〜図４の実施例によるもの、または上述した図１０〜図１１の実施例によるものであってもよい。また、上記下半身型３次元身体矯正装置も、上述した図７〜図８の実施例によるもの、または上述した図１３〜図１４または図１６の実施例によるものであってもよい。このように、上半身型と下半身型の装置の様々な組み合わせにより全身の身体矯正装置を構成することができる。
【００７０】
ここで、上記上半身型３次元身体矯正装置は、着用者の肩のうち正常状態より他方に回転変位した片方の肩の周りを環状に囲むバンドと、少なくとも一部がベルトからなり、上記バンドの一方から下方に斜めに延長され、上記片方の肩の変位に反対する方向に張力が作用する第１傾斜ベルト部と、少なくとも一部がベルトからなり、着用者の胸部を水平方向に囲んで圧迫し、上記第１傾斜ベルト部の下端部を直接または間接的に支持する第１水平ベルト部と、を含むことが好ましい。
【００７１】
また、上記下半身型３次元身体矯正装置は、着用者の骨盤のうち正常状態より上に上がって回転変位した側の腸骨陵部位を支持する骨盤支持部と、上記骨盤支持部の両側から下方に斜めに延長され、その回転変位に反対する方向に張力が作用する第２傾斜ベルト部と、少なくとも一部がベルトからなり、着用者の臀部を水平方向に囲んで圧迫し、上記第２傾斜ベルト部の下端部を直接または間接的に支持する第２水平ベルト部と、を含むことが好ましい。
【００７２】
以上において、他方と一方はそれぞれ着用者の身体の前側と後ろ側を指す意味で使用された。一方、上述したベルト部材は、いわゆるソファベルトまたは弾性ウェビングストラップと呼ばれる弾性的に伸びる帯状の部材のことであるが、例示された部材に限定されるものではない。パッド類を構成するクッション部材も圧縮スポンジやウレタンフォーム、シリコンラバーなどの様々な素材からなるものを採択することができる。
【産業上の利用可能性】
【００７３】
本発明は、先天または後天的に変形した身体を矯正する身体矯正器具に関するもので、医療補助器具産業に利用されることができる。
【図１】
0006603410.tif 000002
【図２】
0006603410.tif 000003
【図３】
0006603410.tif 000004
【図４】
0006603410.tif 000005
【図５】
0006603410.tif 000006
【図６】
0006603410.tif 000007
【図７】
0006603410.tif 000008
【図８】
0006603410.tif 000009
【図９】
0006603410.tif 000010
【図１０】
0006603410.tif 000011
【図１１】
0006603410.tif 000012
【図１２】
0006603410.tif 000013
【図１３】
0006603410.tif 000014
【図１４】
0006603410.tif 000015
【図１５】
0006603410.tif 000016
【図１６】
0006603410.tif 000017